(57)【要約】    【課題】  電源スイッチで点灯モードを切り換え可能で、しかも所望の調光レベルに固定して使用しやすくした点灯装置を提供する。    【解決手段】  点灯装置は、放電ランプDLを点灯する第１の点灯回路OCと、保安灯SLを点灯する第２の点灯回路SCと、各点灯回路を制御する制御回路CCとを具備し、制御回路は、放電ランプを所望調光レベルで調光点灯する調光制御手段と、放電ランプの全光、同調光および保安灯の点灯モードを切り換える点灯モード切換手段と、消灯する前の点灯モードおよびその調光レベルを記憶する点灯モード記憶手段と、電源スイッチのOFF時間が所定値以上のときには記憶されていた消灯前の点灯モードおよび調光レベルで放電ランプまたは保安灯を点灯し、所定値未満のときには点灯モード切換手段に放電ランプおよび保安灯を消灯前の点灯モードから次の点灯モードに切り換えさせる判定手段とを備えている。【選択図】図１
2009230949.tif 000002
【特許請求の範囲】
【請求項１】
主光源を点灯する第１の点灯回路と；
補助光源を点灯する第２の点灯回路と；
第１および第２の点灯回路を制御する制御回路と；
を具備し、
制御回路は、少なくとも第１の点灯回路を制御して主光源を所望の調光レベルで調光点灯する調光制御手段と、主光源の全光、同調光および保安灯を含む複数種の点灯モードを所定の順で切り換える点灯モード切換手段と、消灯する前の点灯モードおよびその調光レベルを記憶する点灯モード記憶手段と、壁スイッチなどの電源スイッチのＯＦＦ時間が所定値未満であるか以上であるかを判定して、所定値以上のときには記憶されていた消灯前の点灯モードおよび調光レベルで主光源または補助光源を点灯し、上記ＯＦＦ時間が所定値未満のときには点灯モード切換手段に主光源および補助光源を消灯前の点灯モードから次の点灯モードに切り換えさせる判定手段とを備えている；
ことを特徴とする点灯装置。
【請求項２】
主光源を点灯する第１の点灯回路と；
補助光源を点灯する第２の点灯回路と；
第１および第２の点灯回路を制御する制御回路と；
を具備し、
制御回路は、少なくとも主光源を所定範囲内において所望の調光レベルで調光可能にする調光制御手段と、所定範囲内の調光レベルのうち任意の調光レベルを設定する調光レベル設定手段と、主光源の全光、調光レベル設定手段で設定された調光レベルの調光および補助光源を含む複数種の点灯モードを所定の順で切り換える点灯モード切換手段と、消灯する前の点灯モードを記憶する点灯モード記憶手段と、壁スイッチなどの電源スイッチのＯＦＦ時間が所定値未満であるか以上であるかを判定して、所定値以上のときには記憶されていた消灯前の点灯モードおよび調光レベル設定手段で設定された調光レベルで主光源または補助光源を点灯し、上記ＯＦＦ時間が所定値未満のときには点灯モード切換手段に主光源および補助光源を消灯前の点灯モードから次の点灯モードに切り換えさせる判定手段とを備えている；
ことを特徴とする点灯装置。
【請求項３】
調光制御手段は、弧所光源の調光レベルを選択可能であり；
点灯モード記憶手段は、補助光源の消灯する前の調光レベルをも記憶する；
ことを特徴とする請求項１または２記載の点灯装置。
【請求項４】
主光源の所望の調光レベルを設定するリモコンを具備していることを特徴とする請求項１ないし３のいずれか一記載の点灯装置。
【発明の詳細な説明】
【技術分野】
【０００１】
本発明は、調光可能な点灯装置に関する。
【背景技術】
【０００２】
調光可能な放電ランプ点灯装置を搭載した照明器具にリモコン受信器を付設し、調光レベルのアップスイッチおよびダウンスイッチを備えたリモコン送信器を操作して放電ランプを所望の調光レベルで点灯させるように構成した放電ランプ点灯装置は既知である（例えば、特許文献１参照。）。
【０００３】
また、壁スイッチなどの電源スイッチを短時間ＯＦＦしてからＯＮすることにより放電ランプの全光、同調光および保安灯の順に点灯モードを切り換えるようにした照明装置は既知である（例えば、特許文献２参照。）。
【０００４】
【特許文献１】特開平０６−０７５６６７号公報
【特許文献２】特許第３２１４６２２号公報
【発明の開示】
【発明が解決しようとする課題】
【０００５】
従来の電源スイッチを短時間ＯＦＦしてからＯＮすることにより点灯モードを切り換えるようにした照明装置では、特許文献１に記載のような照明器具を用いたとしても、電源スイッチで切り換えのできる調光点灯モードの際の調光レベルがいわゆるメモリ調光に固定されてしまう。
【０００６】
ところが、実際の室内照明においては、通常調光点灯モードで使用する場合、使用者の好みに応じた調光レベルに固定して使用されることが比較的多い。従来技術においては、このような場合に点灯の都度放電ランプのような主光源の調光度を所望レベルになるように設定する必要があるために、その設定操作が煩わしく甚だ不便である。
【０００７】
本発明は、電源スイッチで点灯モードを切り換え可能で、しかも使用者の好みに応じた所望の調光レベルに固定して使用しやすくした点灯装置を提供することを目的とする。
【課題を解決するための手段】
【０００８】
第１の発明の点灯装置は、主光源を点灯する第１の点灯回路と；補助光源を点灯する第２の点灯回路と；第１および第２の点灯回路を制御する制御回路と；を具備し、制御回路は、少なくとも第１の点灯回路を制御して主光源を所望の調光レベルで調光点灯する調光制御手段と、主光源の全光、同調光および補助光源を含む複数種の点灯モードを所定の順で切り換える点灯モード切換手段と、消灯する前の点灯モードおよびその調光レベルを記憶する点灯モード記憶手段と、壁スイッチなどの電源スイッチのＯＦＦ時間が所定値未満であるか以上であるかを判定して、所定値以上のときには記憶されていた消灯前の点灯モードおよび調光レベルで少なくとも主光源または補助光源を点灯し、上記ＯＦＦ時間が所定値未満のときには点灯モード切換手段に主光源および補助光源を消灯前の点灯モードから次の点灯モードに切り換えさせる判定手段とを備えている；ことを特徴としている。
【０００９】
第１の発明は、以下の態様を許容する。
【００１０】
最初に第１の点灯回路について説明する。第１の点灯回路は、放電ランプや発光ダイオードなどの主光源を点灯する回路手段であるが、主光源を全光および調光のいずれか所望の態様で点灯させることができる。なお、全光とは、一般的には主光源を定格電力で点灯するときをいうが、本発明においては設定された範囲内の最大電力で点灯するときをいう。また、調光とは、全光のときより少ない電力で点灯するときをいう。したがって、調光点灯時には主光源の発光の明るさが全光点灯時のそれより低下する。
【００１１】
また、第１の点灯回路は、調光点灯の態様として、調光レベルすなわち調光時の明るさレベルを、例えば全光の５０％までといった具合に予め設定された所定範囲内で所望に設定することができるように構成されている。所望により調光レベルを連続的に変化させることができるように第１の点灯回路および後述する制御回路を構成し、かつリモコンに例えばダウンスイッチやアップスイッチを操作できるように構成して、調光レベルを連続的ないし段階的に変化させながら所望の調光レベルに到達したときに調光レベル変化操作を停止してそのときの調光レベルを記憶させれば、所望の調光レベルの設定が容易になる。また、予め調光レベルを所定値、例えば７０％に設定したメモリ調光を選択可能にリモコンなどを構成することもできる。
【００１２】
さらに、第１の点灯回路は、主光源を点灯するための具体的な回路構成が特段限定されないが、制御が容易、高発光効率、明るさのちらつきがない、即時始動可能であるなどの理由で主光源が放電ランプなどの場合、高周波点灯を行う回路構成が好ましい。この場合、インバータ回路を用いて高周波電圧を発生するように構成すると好都合である。
【００１３】
放電ランプを調光点灯する場合、第１の点灯回路から放電ランプに投入される電力を低減すればよい。したがって、その調光レベルを変化させるには、後述する制御回路により放電ランプに投入される電力の全光点灯時の電力に対する低減の程度を変化させればよい。放電ランプに投入される電力を低減するには、第１の点灯回路の出力電圧を低減するか、または／および周波数を変化させればよい。後者は、負荷回路に配設されるバラストをインダクタなどのリアクタンスで構成するのが一般的であり、リアクタンスは周波数に応じてその値が変化するから、周波数を変化させることによって放電ランプに投入する電力を変化させることができる。
【００１４】
第１の点灯回路の出力電圧を低減する場合の好ましい構成は、インバータ回路の直流入力電圧を低減することである。例えば、インバータ回路の入力側したがって直流電源内にチョッパ回路などの直流電圧調節機能を有する回路を配設して、その出力電圧を発生するように後述する制御回路により制御すればよい。そうすれば、インバータ回路の出力電圧が入力電圧に応じて相応に変化する。なお、チョッパ回路は、直流電源電圧および所要の直流出力電圧の相関に基づいて昇圧チョッパ、降圧チョッパなど既知のチョッパ回路から適宜選択して用いることができる。
【００１５】
通常点灯すなわち全光点灯および調光点灯中に点灯回路をフィードバック制御しないように構成することができる。これにより回路を簡略化できる。この場合、インバータ回路の発振周波数を一定にすることができる。しかし、所望により点灯回路の出力電圧制御と周波数制御を併用して点灯することも許容される。また、放電ランプのフィラメント電極を予熱し、始動する際に所要の電圧を印加するために周波数制御または／および出力電圧を制御回路により変化させることができる。
【００１６】
インバータ回路を用いる場合、その回路方式は自由に選択することができるが、回路構成が簡単で、かつ小形化しやすくて、しかも比較的安価に得られるのはハーフブリッジ形インバータである。
【００１７】
さらにまた、第１の点灯回路は、負荷回路を備えている。負荷回路は、放電ランプに対するバラスト作用を提供するとともに、インバータ回路の出力電圧波形を正弦波に波形整形し、放電ランプの始動時に周波数制御を行うことで始動電圧を印加しやすくするなどの電圧調整作用を行う。そのために、負荷回路は、共振回路を含む。そして、共振電圧が印加され、かつバラストと直列接続するように放電ランプを負荷回路に接続する。
【００１８】
さらにまた、第１の点灯回路は、壁スイッチなどの電源スイッチを介して低周波交流電源に接続するが、放電ランプの消灯および保安灯の点灯中電源を接続した状態にしておいてもよい。この場合、インバータ回路および直流電源の昇圧チョッパなどに駆動信号を供給しないで停止状態にしておけばよい。
【００１９】
次に、第２の点灯回路について説明する。第２の点灯回路は、保安灯などの補助光源を点灯する回路手段である。補助光源は、いわゆる常夜灯として機能するもので、小形白熱電球または発光ダイオードなどの小電力で点灯する光源を用いるのがよい。そして、補助光源を点滅するために、電源スイッチの他に開閉スイッチを介して低周波交流電源に接続するのが好ましい。そして、開閉スイッチを後述する制御回路により制御する。
【００２０】
補助光源について複数の調光レベルを選択的に設定可能に構成する場合、例えば第２の点灯回路に可変電圧回路を配設して、この可変電圧回路を経由して保安灯を点灯するように構成することができる。
【００２１】
次に、制御回路について説明する。制御回路は、駆動信号発生、演算および記憶機能を有し、これらの機能を用いて構成された調光制御手段、点灯モード切換手段、点灯モード記憶手段および判定手段を備えていて、第１および第２の点灯回路を制御する。
【００２２】
調光制御手段は、第１の点灯回路から主光源に入力する電力が全光点灯時より低減して調光点灯するように第１の点灯回路を制御する。そのために、例えばインバータ回路のスイッチング素子に供給する駆動信号の周波数を所望の調光レベルに対応するように予めプログラムされた値まで高くしたり直流電源内のチョッパ回路などの直流電圧調節機能を有する回路のスイッチング素子に供給する駆動信号をオンデューティが小さくなるように制御したりすることができる。
【００２３】
また、調光制御手段は、所望により第２の点灯回路を制御して補助光源について複数の調光レベルを選択的に設定可能にするように構成することができる。すなわち、この態様においては、例えば後述する点灯モード切換手段が点灯モードを保安灯に切り換えているときに、第２の点灯回路に配設されている可変電圧回路に対して、その出力電圧が複数の調光レベルでの点灯に対応するように調光制御手段により制御信号を送出すればよい。なお、補助光源の設定された調光レベルは、次に設定し直すまで制御回路がそれを記憶して固定される。
【００２４】
点灯モード切換手段は、主光源の全光、同調光および補助光源を含む複数種の点灯モードを所定の順で切り換える手段である。例えば、全光→調光→補助光源の順を繰り返し循環するように切り換える。そして、後述する判定手段における判定結果に応じて点灯モードを切り換える。切り換えは、例えば前回ＯＮ時の点灯モードが全光であれば調光次の順位の調光に切り換える。以下、順次次の順位の点灯モードに循環的に切り換えていく。なお、調光点灯は記憶されたレベルで行われる。
【００２５】
点灯モード記憶手段は、電源スイッチをＯＮしているときの点灯モードおよび調光レベルを記憶する手段である。記憶するタイミングは特段限定されないが、例えばＯＦＦされる際に記憶されてから消灯するように構成することができる。記憶された前回の点灯モードデータを点灯モード切換手段における前回ＯＮ時の点灯モードとして利用することができる。
【００２６】
判定手段は、電源のＯＦＦ時間が所定値未満か、それ以上であるかを判定する手段であり、所定値未満のときには点灯モード切換手段を作用させる。また、それ以上のときには点灯モード記憶手段が記憶した前回の点灯モードおよび調光レベルで放電ランプまたは保安灯を点灯する。
【００２７】
調光レベルを変更する手段について説明する。本発明において、調光レベルを変更する手段は特段限定されないが、好ましくはリモコンを操作して調光レベルを可変にするように構成する。リモコンは、リモコン操作器およびリモコン受信器からなる。また、リモコンは、一般的にはワイヤレス方式が採用されるが、所望によりワイヤード方式であってもよい。ワイヤレス方式の場合、赤外線を通信媒体とするのが一般的であるが、電波など既知の各種媒体を通信媒体とすることもできる。
【００２８】
リモコン操作器は、放電ランプの動作を切り換える際に操作側となる手段であり、照明器具から離間して使用者の手元で操作され、全光点灯、調光点灯および消灯を少なくとも選択的に操作することができる。また、調光の場合にそのレベルを使用者の好みに応じて調整可能に設定することができる。そのために、全光点灯、調光点灯および消灯の操作スイッチと調光レベルを変化させる際のアップスイッチおよびダウンスイッチを配設することができる。
【００２９】
リモコン受信器は、照明器具側に配設されて、リモコン操作器から送信された操作信号で変調されたリモコン信号を受信してこれを復調し、制御回路に制御入力される。このため、リモコン受信器は、少なくともその受信部が照明器具のリモコン信号を受信しやすい位置、例えば下面側に配置される。
【００３０】
第２の発明の放電ランプ点灯装置は、主光源を点灯する第１の点灯回路と；補助光源を点灯する第２の点灯回路と；第１および第２の点灯回路を制御する制御回路と；を具備し、制御回路は、少なくとも主光源を所定範囲内において所望の調光レベルで調光可能にする調光制御手段と、所定範囲内の調光レベルのうち任意の調光レベルを設定する調光レベル設定手段と、主光源の全光、調光レベル設定手段で設定された調光レベルの調光および補助光源を含む複数種の点灯モードを所定の順で切り換える点灯モード切換手段と、消灯する前の点灯モードを記憶する点灯モード記憶手段と、壁スイッチなどの電源スイッチのＯＦＦ時間が所定値未満であるか以上であるかを判定して、所定値以上のときには記憶されていた消灯前の点灯モードおよび調光レベル設定手段で設定された調光レベルで主光源または補助光源を点灯し、上記ＯＦＦ時間が所定値未満のときには点灯モード切換手段に主光源および補助光源を消灯前の点灯モードから次の点灯モードに切り換えさせる判定手段とを備えている；ことを特徴としている。
【００３１】
第２の発明は、次の点で第１の発明と異なる。すなわち、点灯モード記憶手段は、現在の点灯モードおよび現在の点灯モードが調光点灯のときには調光レベル設定手段により設定された調光レベルを記憶する。判定手段は、電源スイッチのＯＦＦ時間が所定値以上であると判定したときには、記憶された点灯モードおよびそれが調光点灯の場合には調光レベル設定手段により設定された調光レベルで点灯する。
【００３２】
調光レベル設定手段は、使用者または製造者などが調光レベルを設定しておく手段である。例えば、調光レベル設定手段をリモコンなどの遠隔制御手段にメモリ調光として専用スイッチを配設しておくことができる。
【００３３】
したがって、使用者が上記専用スイッチを操作すれば、所定の調光レベルの調光に点灯モードが切り換えられる。そして、所定レベルの調光点灯が行われているときに電源スイッチを操作して消灯すれば、そのときの点灯モードである調光および所定の調光レベルが点灯モード記憶手段により記憶される。
【００３４】
次に、電源スイッチを所定時間以上ＯＮしたときに、ＯＮされる前のＯＦＦ時間が所定時間以上であれば、記憶された調光の点灯モードおよび所定の調光レベルで主光源が点灯する。
【００３５】
第２の発明において、上記以外の構成および作用は第１の発明における既述の説明における態様であることを許容する。
【発明の効果】
【００３６】
第１の発明によれば、制御回路が少なくとも主光源を所定範囲内において所望の調光レベルで調光可能にする調光制御手段と、主光源の全光、同調光および補助光源を含む複数種の点灯モードを所定の順で切り換える点灯モード切換手段、消灯する前の点灯モードおよび調光レベルを記憶する点灯モード記憶手段と、壁スイッチなどの電源スイッチのＯＦＦ時間が所定値未満であるか以上であるかを判定して、所定値以上のときには主光源を全光の点灯モードで点灯し、かつ次に点灯モード切換手段により調光の点灯モードに切り換えられたときに記憶されていた消灯前の調光レベルで調光点灯し、上記ＯＦＦ時間が所定値未満のときには点灯モード切換手段に主光源および補助光源を消灯前の点灯モードから次の点灯モードに切り換えさせる判定手段とを備えていることにより、電源スイッチで点灯モードを切り換え可能で、しかも使用者の好みに応じた所望の調光レベルに毎回固定されることで使用しやすくなる点灯装置を提供することができる。
【００３７】
第２の発明によれば、制御回路は、少なくとも主光源を所定範囲内において所望の調光レベルで調光可能にする調光制御手段と、所定範囲内の調光レベルのうち任意の調光レベルを設定する調光レベル設定手段と、主光源の全光、調光レベル設定手段で設定された調光レベルの調光および補助光源を含む複数種の点灯モードを所定の順で切り換える点灯モード切換手段と、消灯する前の点灯モードを記憶する点灯モード記憶手段と、壁スイッチなどの電源スイッチのＯＦＦ時間が所定値未満であるか以上であるかを判定して、所定値以上のときには記憶されていた消灯前の点灯モードおよび調光レベル設定手段で設定された調光レベルで放電ランプまたは保安灯を点灯し、上記ＯＦＦ時間が所定値未満のときには点灯モード切換手段に主光源および補助光源を消灯前の点灯モードから次の点灯モードに切り換えさせる判定手段とを備えていることにより、電源スイッチで点灯モードを切り換え可能で、しかも使用者の好みに応じた所望の調光レベルに毎回固定されることで使用しやすくなる点灯装置を提供することができる。
【発明を実施するための最良の形態】
【００３８】
以下、図面を参照して本発明を実施するための形態を説明する。
【００３９】
図１ないし図３は、本発明の点灯装置を実施するための第１の形態を示し、図１は照明器具側に配設される点灯装置の回路図、図２は照明器具およびリモコンの略図、図３は壁スイッチのＯＮ、ＯＦＦ時の制御回路における制御動作のフローチャートである。
【００４０】
図１および図２に示すように、点灯装置は、第１の点灯回路ＯＣ、第２の点灯回路ＳＣ、リモコンＲＣおよび制御回路ＣＣを具備し、主光源としての放電ランプＤＬおよび補助光源としての保安灯ＳＬが壁スイッチＷＳにより選択的に点滅するように構成されている。
【００４１】
第１の点灯回路ＯＣは、直流電源ＤＣおよび主回路ＭＣを備えていて、そこに接続した放電ランプＤＬを点灯する。そして、壁スイッチＷＳを経由して低周波交流電源ＡＣを受電して放電ランプＤＬを高周波点灯する。
【００４２】
直流電源ＤＣは、整流回路および昇圧チョッパなどにより構成することができ、後述する主回路ＭＣの直流入力電源となる。整流回路には例えばブリッジ形全波整流回路を用いることができ、その入力端が低周波交流電源ＡＣに接続する。そして、出力端から全波整流波形の直流電圧が得られる。昇圧チョッパは、内部の回路接続の図示を省略しているが、既知の回路構成のアクティブフィルタである。そして、駆動信号のオンデューティに比例した昇圧直流出力電圧が得られるので、上記オンデューティを変化させることにより、直流出力電圧を変化させることができる。
【００４３】
主回路ＭＣは、インバータ回路および負荷回路により構成されている。インバータ回路は、直流電源ＤＣの出力端間に直列接続した一対のスイッチング素子を備えたハーフブリッジ形インバータ回路が回路構成が簡単であるので好適であり、その第２のスイッチング素子の両端から矩形波の高周波電圧を出力する。
【００４４】
負荷回路は、直流カットコンデンサ、インダクタおよび共振コンデンサの直列回路からなり、インバータ回路の出力端間に導電的に接続しているが、直流カットコンデンサにより直流成分が負荷回路に流入しない。そして、上記インダクタおよび共振コンデンサＣ３は、直列共振回路を形成している。
【００４５】
放電ランプＤＬは、蛍光ランプからなり、第１の点灯回路ＯＣにおいて負荷回路の共振コンデンサの両端に並列接続するとともに、その一対のフィラメント電極が負荷回路ＬＣに直列に挿入されている。そして、後述する制御回路ＣＣの駆動信号発生手段ＤＳＧから周波数が所要に制御された駆動信号がインバータ回路に供給されたときにフィラメント電極が予熱され、始動して点灯する。また、点灯は、全光および調光の点灯モードに切り換えることができ、しかも調光は所定範囲内において任意所望のレベルにすることができる。
【００４６】
第２の点灯回路ＳＣは、第１の点灯回路ＯＣと並列に接続し、かつ壁スイッチＷＳを経由して低周波交流電源ＡＣを受電して付勢される。そして、補助光源としての保安灯ＳＬおよび開閉スイッチＳＷの直列回路によって構成されている。保安灯ＳＬは、例えば定格電力５Ｗ程度の白熱電球である。開閉スイッチＳＷは、後述する制御回路ＣＣからの制御により制御されて保安灯ＳＬを点滅する。
【００４７】
制御回路ＣＣは、マイコンμ-Comおよび駆動信号発生回路ＤＳＧを含み、かつ調光制御手段、点灯モード切換手段、点灯モード記憶手段および判定手段を有している。なお、駆動信号発生回路ＤＳＧを含めてマイコンμ-Comが以上の各機能を担当することができる。また、駆動信号発生回路ＤＳＧは、直流電源ＤＣに昇圧チョッパなどを用いたときには、昇圧チョッパなどに対しても駆動信号を供給するように構成することができる。
【００４８】
調光制御手段は、第１の点灯回路ＯＣのインバータ回路または／および直流電源ＤＣに対して供給する駆動信号の周波数やオンデューティを制御してインバータ回路の発振周波数や昇圧チョッパなどの直流出力電圧を所要に制御することにより、放電ランプＤＬの動作を全光および調光の各点灯モードに選択的に制御する。
【００４９】
点灯モード切換手段は、後述するように判定手段と協働して放電ランプＤＬの全光および調光と、保安灯ＳＬの点灯との順に放電ランプＤＬおよび保安灯ＳＬの点灯モードを順次切り換える。
【００５０】
点灯モード記憶手段は、図３に示すように実行されている点灯モードおよび調光レベルを少なくとも消灯する際に記憶する。すなわち、壁スイッチＷＳをＯＦＦしたときに、制御回路ＣＣの点灯モード記憶手段は、点灯モードおよび調光レベルを記憶する。
【００５１】
判定手段は、壁スイッチＷＳがＯＦＦ状態からＯＮ状態に変化したときに、そのＯＦＦ時間の長さが所定値未満か否かおよび前回の点灯モードを判定する。
【００５２】
以上の各手段が強調して以下の制御動作を行う。すなわち、図３に示すように制御回路ＣＣは、壁スイッチＷＳによる電源の状態変化を監視していて、壁スイッチＷＳがＯＦＦ状態からＯＮ状態に変化したときには、そのＯＦＦ時間の長さを判定する。そして、ＯＦＦ時間が所定値である１．５秒未満のときには前回の消灯前の点灯モードが放電ランプＤＬの全光であれば（Ｙｅｓのとき）、点灯モードを調光に切り換えて記憶されたレベルの調光点灯にする。また、全光でなければ（Ｎｏのとき）、次に調光の有無を判定し、調光であれば（Ｙｅｓのとき）、点灯モードを保安灯に切り換えて保安灯ＳＬを点灯する。また、調光でなければ（Ｎｏのとき）、点灯モードを全光に切り換えて全光点灯にする。ＯＦＦ時間が所定値である１．５秒以上のときには、前回の消灯前の点灯モードおよび調光であった場合にはそのときの調光レベルを設定して放電ランプＤＬまたは保安灯ＳＬを点灯する。
【００５３】
リモコンＲＣは、リモコン送信器ＲＴおよびリモコン受信器ＲＲからなり、リモコン受信器ＲＲが照明器具側に配設される。リモコン受信器ＲＲは、赤外線受光器、復調回路および増幅器などを備え、受信した操作信号を制御回路ＣＣに制御入力する。
【００５４】
本発明の点灯装置を搭載した照明器具１０は、図２に示すように、照明器具本体１１、放電ランプ点灯装置ＬＰＣ、リモコン受信器ＲＲおよび放電ランプＤＬを備えている。なお、リモコン受信器ＲＴは、照明器具１０から離間した位置に置かれる。
【００５５】
照明器具本体１１は、基体１１ａ、反射板１１ｂおよびセード１１ｃを主体として構成された天井取付形照明器具である。基体１１ａは、浅皿状をなしていて、天井の下面に取付けられる。反射板１１ｂは、基体１１ａの下面を覆い、外面が白色系の反射面となっていて、基体１１ａとの間に点灯装置ＬＰＣおよび配線部材などを配設する空間を形成している。セード１１ｃは、透光性プラスチックスからなり、基体１１ａの下面開放端に着脱可能に装着されている。
【００５６】
点灯装置ＬＰＣは、図１に示す構成である。そして、照明器具本体１１の基体１１ａおよび反射面１１ｂが形成する空間の内部に配設され、その高周波出力は図示を省略しているソケットを介して放電ランプＤＬに供給される。
【００５７】
リモコン受信器ＲＲは、反射面１１ｂの外面に配設されていて、照明器具１０の下方からリモコン送信器ＲＴを操作したときに送出される赤外線リモコン信号を受信しやすく配設されている。すなわち、赤外線受光器がセード１１ｂに対面するように反射面１１ｂに下向きに取付けられている。
【００５８】
放電ランプＤＬは、例えば環形の蛍光ランプからなり、反射面１１ｂに着脱可能に装着されている。
【００５９】
リモコン送信器ＲＴは、放電ランプＤＬの動作を切り換える際に遠隔操作するときに用いられ、全光スイッチ１２、調光スイッチ１３、アップスイッチ１４、ダウンスイッチ１５、保安灯スイッチ１６および消灯スイッチ１７を備えていて、これらを択一的に操作した際に該当する赤外線リモコン信号が送信される。
【００６０】
全光スイッチ１２は、これを操作したときに放電ランプＤＬが全光点灯に切り換えられる。調光スイッチ１３は、これを操作したときに放電ランプＤＬが調光点灯に切り換えられる。また、調光スイッチ１３は、予め所定の調光レベル、例えば７０％に設定されたメモリ調光として機能する。アップスイッチ１４は、これを操作したときに調光レベルが上昇していき、操作を停止したときの調光レベルに設定される。ダウンスイッチ１５は、これを操作したときに調光レベルが下降していき、操作を停止したときの調光レベルに設定される。保安灯スイッチ１６は、これを操作したときに保安灯（図示しない。）が点灯する。消灯スイッチ１６は、これを操作したときに放電ランプＤＬが消灯に切り換えられる。また、保安灯が点灯しているときに操作された場合には、保安灯が消灯する
次に、動作について説明する。図１において、低周波交流電源ＡＣからの低周波交流電圧は、第１の点灯回路ＯＣの直流電源ＤＣで所望電圧の平滑化直流電圧に変換されて主回路ＭＣのインバータ回路の直流入力端に印加される。インバータ回路が制御回路ＣＣから駆動信号を供給されて動作すると、高周波電圧が出力され、さらに負荷回路で波形整形されて放電ランプＤＬの一対のフィラメント電極間に印加される。これにより、始動前のフィラメント電極予熱時に一対のフィラメント電極および共振コンデンサからなるフィラメント予熱回路が形成されるので、フィラメント加熱電流が流れてフィラメント電極が予熱され、次に周波数制御されて高くなった始動電圧が放電ランプＤＬに印加されると、放電ランプＤＬが始動して点灯する。
【００６１】
放電ランプＤＬの点灯モードは、壁スイッチＷＳおよびリモコン送信器ＲＴのいずれからでも操作することができる。壁スイッチＷＳで操作された場合は、図３を参照して上述したとおりである。
【００６２】
図４および図５は、本発明の点灯装置を実施するための第２の形態を示し、図４はリモコン送信器ＲＴの正面図、図５は壁スイッチのＯＮ、ＯＦＦ時の制御回路における制御動作のフローチャートである。なお、図１に示すのと同様な回路構成であるため、図１をも参照して説明する。
【００６３】
本形態において、図４に示すようにリモコン送信器ＲＴは、図２に示す構成に加えてメモリスイッチ１８が調光レベル設定手段として配設されている。そして、予め工場サイドにおいて、メモリスイッチ１８を操作したときに所定の調光レベルで点灯するように設定されているか、または使用者がアップスイッチ１５またはダウンスイッチ１６を操作して、所望の調光レベルになったときにメモリスイッチ１８を操作すると、そのときの調光レベルが記憶されて設定されるように構成されている。そして、以降メモリスイッチ１８を操作すると、設定されている調光レベルで即放電ランプＤＬが調光点灯するので、操作が簡単になる。なお、これをメモリ調光という。
【００６４】
したがって、図５に示すようにメモリ調光で放電ランプＤＬが点灯しているときに壁スイッチＷＳをＯＦＦすると、現在の点灯モードのメモリ調光およびその調光レベルが点灯モード記憶手段により記憶される。次に、ＯＮしたときにその前のＯＦＦ時間の長さが判定され、ＯＦＦ時間が１．５秒以上であるときには記憶されている点灯モード（メモリ調光）および予め調光レベル設定手段により設定された調光レベルで放電ランプＤＬが点灯する。なお、壁スイッチＷＳのＯＦＦ時間が１．５秒未満のときおよび消灯時に現在の点灯モードおよび調光レベルを記憶する制御動作は第１の形態におけるそれと同様である。
【００６５】
図６は、本発明の点灯装置を実施するための第３の形態における照明器具側に配設される放電ランプ点灯装置の回路図である。
【００６６】
本形態は、保安灯ＳＬの明るさが複数の調光レベルの中から任意に選択可能なように構成されている。すなわち、第２の点灯回路ＳＣは、図６に示すように第１の点灯回路ＯＣと並列に接続し、かつ壁スイッチＷＳを経由して低周波交流電源ＡＣを受電して付勢されるが、保安灯ＳＬおよび開閉スイッチＳＷの間に可変電圧回路ＢＶＣが介在している。可変電圧回路ＢＶＣは、制御回路ＣＣのマイコンμ-Comから制御されてその出力電圧を変化することで調光レベルを設定することができる。
【００６７】
そうして、リモコン送信器ＲＴの保安灯スイッチ１３を操作して保安灯ＳＬに切り換えてから、アップスイッチ１４またはダウンスイッチ１５を操作して所望の明るさを選択すれば、以後保安灯ＳＬの調光度を設定した値に固定することができる。
【図面の簡単な説明】
【００６８】
【図１】本発明の点灯装置を実施するための第１の形態における照明器具側に配設される放電ランプ点灯装置の回路図
【図２】同じくは照明器具およびリモコンの略図
【図３】同じく壁スイッチのＯＮ、ＯＦＦ時の制御回路における制御動作のフローチャート
【図４】本発明の点灯装置を実施するための第２の形態におけるリモコン送信器の正面図
【図５】同じく壁スイッチのＯＮ、ＯＦＦ時の制御回路における制御動作のフローチャート
【図６】本発明の点灯装置を実施するための第３の形態における照明器具側に配設される放電ランプ点灯装置の回路図
【符号の説明】
【００６９】
１０…照明器具、１１…照明器具本体、１２…全光スイッチ、１３…調光スイッチ、１４アップスイッチ、１５…ダウンスイッチ、１６…保安灯スイッチ、１７…消灯スイッチ、１８…メモリスイッチ、ＣＣ…制御回路、ＤＬ…放電ランプ、ＤＳＧ…駆動信号発生回路、ＬＯＣ…放電ランプ点灯装置、ＯＣ…第１の点灯回路、ＲＣ…リモコン、ＲＲ…リモコン受信器、ＲＴ…リモコン送信器、ＳＣ…第２の点灯回路、ＳＬ…保安灯、ＳＷ…開閉スイッチ、ＷＳ…壁スイッチ、μ-Com…マイコン
【図１】
2009230949.tif 000003
【図２】
2009230949.tif 000004
【図３】
2009230949.tif 000005
【図４】
2009230949.tif 000006
【図５】
2009230949.tif 000007
【図６】
2009230949.tif 000008